(57)【要約】【課題】  従来より、電気音響変換器（以下、スピーカーユニット）から発生した音質を調整する場合、一般的に出力側の電気信号を調整して音質を変更／調整していた。しかし、電気信号による調整では自然で尚かつ繊細な調整は困難であり、スピーカーユニットやケース本来の特性を生かされていない可能性がある。【解決手段】  本発明では電気信号による音質変更ではなく、スピーカーユニットの振動板から発生した空気振動を制御させる事を特徴とする。故にスピーカーユニットケースの一部に音の通り道となる音道パイプを結合し、その内部へ条件を変えて作られた着脱可能な調整用パイプを内蔵させる。又、音道パイプ開口部面積を可変するために様々な穴の大きさに開けられたネジ（調整用ネジ）を交換する事でも制御可能とした。この方法ならば聴取者自身が交換作業を行う事で聴取者が好む音作りが可能で、電気信号の音質の変更では成し得ない自然で尚かつ繊細な音質調整が可能である。【選択図】図８
2007318702.tif 000002
【特許請求の範囲】
【請求項１】
電気音響変換器（スピーカーユニット）を収容するためのハウジングケースの一部に空気室と外部が連通している音響管となる音道パイプを形成した事を特徴とする。
【請求項２】
上記の音道パイプ内部には、音道パイプの内径より小さい外径である調整用パイプが内臓されている。この調整用パイプは音響管となる音道パイプ内部の管路に対して着脱自在になっており変更できる構成とした事を特徴とする。
【請求項３】
上記の音響管となる音道パイプ内部に内蔵された調整用パイプは、電気音響変換器（スピーカーユニット）の振動板から発生される空気振動が調整用パイプに伝わり共鳴する。その調整用パイプが共鳴腔となって音色が変えられる。調整用パイプはそれぞれ銅や真鍮、ステンレスなどの共鳴率が異なる様々な素材から作られているのでそれらを交換する事によって音響的な特性を可変可能とすることを特徴とする。また、調整用パイプによる音質の違いは材質の違いの他にも材質それぞれの質量や密度、長さや内径／外形の違い、材質の厚みなどの条件の違いが音質の変化となってあらわれる。
【請求項４】
上記の調整用パイプは音道パイプ開口部に設けられた調整用ネジを専用工具を使用し着脱して変更できる構成とした事を特徴とする。
【請求項５】
上記の音道開口部に設けられた調整用ネジは、開口部の開口面積を可変するために大きさの異なる大小様々なダクト孔（排圧ポート）が設けられ、それらを交換する事によりダクト孔（排圧ポート）の開閉手段とする。ダクト孔（排圧ポート）の開閉手段により空気振動及び共鳴膣となる調整用パイプへの共鳴する率を制御して音響的な特性を可変可能とする事を特徴とする。
【請求項６】
電気音響変換器（スピーカーユニット）に接続されている配線コードをハウジングケースから引き出す際に、電気音響変換器（スピーカーユニット）の振動板から発生される空気振動を最大限、調整用パイプに共鳴させる為に音道パイプの出口とは異なる場所に配線コード出口を設ける事を特徴とする。
【発明の詳細な説明】
【技術分野】
【０００１】  本発明は据え置き型スピーカーやイヤホン及びヘッドホンなどのスピーカーの再生領域を可変する構造に関する。
【背景技術】
【０００２】  従来より電気音響変換器（スピーカーユニット）から発生した音質の調整や変更をする場合は、アンプ側のトーンコントロールやバスコントロール、もしくはオーディオ機器に内蔵されたイコライザー装置などの電気的信号を調整して聴取者の好みの音質を再生していた。しかし、電気信号による調整では電気音響変換器（スピーカーユニット）本体やケースであるエンクロージャーの個性を引き出すような繊細な調整は困難である。【０００３】  上記に述べた電気信号による音質変更で聴取者が満足できない場合、他の方法例として電気音響変換器（スピーカーユニット）本体の交換や電気音響変換器（スピーカーユニット）を包むケースであるエンクロージャーを様々な材質や形態に作り変える事によって音質の変更を行っている。しかし、既製品の据え置き型スピーカーやイヤホン及びヘッドホンなどの音質を変更するために電気音響変換器（スピーカーユニット）本体の交換やエンクロージャーやハウジングケースの作り変えは物理的に困難である。
【発明の開示】
【発明が解決しようとする課題】
【０００４】  電気信号の調整では、自然な音質の再生ができないだけでなく、電気音響変換器（スピーカーユニット）本体やケースであるエンクロージャーの本来の特性を生かしきれない可能性がある。そして、音質の調整の為に過度な電圧の入力なども考えられ、それにより再生される音が歪んでしまい音質を悪化させてしまったり、最悪な場合、電気音響変換器（スピーカーユニット）を何らかのかたちで破損させてしまうなど様々な問題点がある。【０００５】  また、電気音響変換器（スピーカーユニット）本体の交換や電気音響変換器（スピーカーユニット）のケースであるエンクロージャーを様々な材質に作り変えるという事は大掛かりな作業を行わなければならないという欠点とそれに伴う経済性の悪さがある。更に電気音響変換器（スピーカーユニット）本体の交換やそのケースであるエンクロージャーの交換が物理的に困難な物も存在する。その困難なものとは、上記でも述べている既製品の据え置き型スピーカーやイヤホン及びヘッドホンなどである。
【課題を解決するための手段】
【０００６】  本発明は、電気音響変換器（スピーカーユニット）の振動板から発生される空気振動の特性を可変させるために音道パイプ内部に着脱可能で材質や長さを変えた条件の異なる調整用パイプと、音道パイプ開口面積を可変するためにネジに開けられた穴の大きさが、それぞれ異なる調整用のネジを聴取者自身が交換を行う事によって聴取者が好む音を作り上げる事を可能とした。【０００７】  尚、条件を変えて作った複数の調整用ネジと複数の調整用パイプの組み合わせで幾通りもの音質を再生する事が可能である。この方式だと電気信号で音質を変える事よりも電気音響変換器（スピーカーユニット）本来の特性を最大限に生かすことが出来る上に音質の変更が手軽に行える。【０００８】  更に、この発明ならばデータ表やグラフ表による目に見える周波数特性の可変だけでなく音質の温もり、硬さや柔らかさ、奥行きや厚み、臨場感や広がり感など条件を変えて作った調整用パイプのそれぞれ持ったクセや特徴が音質によって表現可能となる。【０００９】  電気信号の調整では難しいこれらの繊細な表現が聴取者自身が手軽に簡単に変更可能とすることを特徴とする。【００１０】  また、これにより既製品の据え置き型スピーカーなどでは外形を現状に留めたままで音質の変更が可能である。特に電気音響変換器（スピーカーユニット）本体の交換やエンクロージャーやハウジングケースの交換が物理的に困難なイヤホンやヘッドホンでも耳への装着感を変える事なく音質の変更が可能であることを特徴とする。
【発明の効果】
【００１１】  電気音響変換器（スピーカーユニット）の振動板から発生される音波を条件を変えて作った複数の調整用パイプと複数の調整用ネジを交換することで、幾通りもの音質を再生する事が可能である。【００１２】  この発明ならば、大掛かりな作業を必要とせず安価に、音楽ソースやオーディオ機器から出力された電気的信号にとらわれること無く、共振周波数や再生周波数、そして音質を聴取者自身で好みの音を再生できるほかに必要とされる音質特性の再生を可能とした。【００１３】  更に、この発明ならばデータ表やグラフ表による目に見える周波数特性の可変だけでなく音質の温もり、硬さや柔らかさ、奥行きや厚み、臨場感や広がり感など条件を変えて作った調整用パイプそれぞれが持ったクセや特徴が音質によって表現可能。電気信号の調整では難しいこれらの表現が聴取者自身が手軽に簡単に変更可能とすることを特徴とする。【００１４】  また、調整用パイプや調整用ネジ、専用レンチなどパーツそれぞれを独立させることで大型オーディオやホームオーディオのように聴取者自身が自分の手でいじって音質を変える喜びを体感することが可能である。
【発明を実施するための最良の形態】
【００１５】  以下、本発明に係るスピーカーの構造を図面を参照して説明する。【００１６】  本発明の特徴とする所は、電気音響変換器（スピーカーユニット）を収容するためのハウジングケースの一部に空気室と外部が連通している音響管となる音道パイプ内部に共鳴率が異なる様々な条件で作られた調整用パイプが内蔵されている。そして、それが共鳴腔となり、その共鳴膣となる調整用パイプを交換することで音質の変更が可能であること。また、音道パイプ開口部には、大小様々なダクト孔（排圧ポート）の穴があけられた調整用ネジが設けられている。その調整用ネジを交換することで音響的な特性を可変可能とする。複数の調整用ネジと複数の調整用パイプの組み合わせで幾通りもの音質を再生する事が可能であることを特徴とする。【００１７】  図１〜図４の図中１０１はスピーカーの全体を示す。１は電気音響変換器（スピーカーユニット）。２は電気音響変換器（スピーカーユニット）を包み電気音響変換器（スピーカーユニット）の振動板から発生される空気振動を集音する役目を担う空気室２ａを備えたハウジングケース。３は空気室２ａと外部が連通している音響管となる音道パイプ。４は音道パイプ内部に内蔵されている様々な条件で作られた調整用パイプ。５は大小様々なダクト孔（排圧ポート）が設けられたホーローネジで形成された調整用ネジ。６は調整用ネジを着脱するために使用するホーローネジ用の六角レンチ。７は電気音響変換器（スピーカーユニット）の振動板から発生される空気振動を最大限、調整用パイプに共鳴させる為に音道パイプの開口部とは異なる場所に備えた入力配線コード用の穴。８は入力配線コード用の穴から外部及び内部への空気漏れ／音漏れを無くす為に密閉性の高い塩化ビニールで作られたコードブッシュ。９は、入力配線コード。１０は、入力配線コード専用の穴から取り出した入力配線コードをまとめる為のコード留めなどで構成されている。【００１８】  電気音響変換器（スピーカーユニット）には電気音響変換器（スピーカーユニット）を包むケースと電気音響変換器（スピーカーユニット）の振動板から発生される音波を集音する役目を担い内部に空気室を備えたハウジングケースが形成されている。【００１９】  音道パイプ３は円筒形状のパイプで、その一端３ａはハウジングケースの空気室２ａと連通するためにハウジングケースの一部と結合され、他端３ｂには調整用ネジ５が取り付け／取り外しが可能なように内周壁面にタップネジを切り込んで構成されている。尚、他端３ｂは音道パイプの開口部である。【００２０】  次に円筒形状の音道パイプ３に調整用パイプ４が差し込める構造となるように、調整用パイプ４の外径より音道パイプ３の内径は大きくなっている。また、調整用パイプ４の外径はこれよりも大きな直径になってはならない。【００２１】  調整用パイプ４は図５が示すように違う材質や質量や密度、長さや内径の違い、材質の厚みなど条件が異なり、共鳴腔となる調整用パイプの共鳴する率が異なるものを複数作る。【００２２】  これら条件の違う調整用パイプを音道パイプ内部にそれぞれ差し替えて使用する事により電気音響変換器（スピーカーユニット）から再生される音響特性を可変可能とする。【００��３】  尚、調整用パイプが差し込める構造となるように音道パイプ内部の形は、長さや太さなど調整用パイプの形に合わせなくてはならない。【００２４】  次に円筒形状の音道パイプ３の開口部となる３ｂには調整用ネジ５をレンチ６を使い、取り付け／取り外しが可能となるように内周壁面にタップネジが切り込まれて構成されている。その調整用ネジ５には、図６が示すように大小様々なダクト孔（排圧ポート）が設けられている。【００２５】  電気音響変換器（スピーカーユニット）の振動板から発生される空気振動が、共鳴膣となっている調整用パイプへの共鳴する率を大小様々なダクト孔（排圧ポート）が設けられている調整用ネジを取り替えることで音響的な特性を可変可能とする。【００２６】  次に音響特性を可変可能とするための発明である調整用パイプや調整用ネジの内面壁面の面積を大きくとることと電気音響変換器（スピーカーユニット）の振動板から発生される空気振動を最大限、調整用パイプに共鳴させる為に音道パイプの開口部出口とは異なる場所に配線コード出口を設けることが望ましい。故に、入力配線コードが音質的な干渉を避ける為に、音道パイプの開口部出口とは異なる場所に配線コード出口を設けた。
【実施例】
【００２７】  電気音響変換器（スピーカーユニット）の振動板から発生される空気振動が空気室を備えたハウジングケースを通り、ハウジングケースの一部と結合した音響管となる音道パイプを通って外部に排出される。このとき音道パイプ内部には、着脱可能な調整用パイプが内蔵されている。この調整用パイプは、材質や長さなどが違う条件の異なるパイプで作られており、着脱可能である。そして電気音響変換器（スピーカーユニット）の振動板から発生される空気振動が調整用パイプに伝わり条件の違うそれぞれの調整用パイプがそれぞれの素材が持った音質で共鳴し、その調整用パイプが共鳴腔となって条件毎の音色に変えられて聴取者の耳に伝わる。また調整用パイプは音響管となる音道パイプの開口部に設けられた調整用ネジにより係止させている。【００２８】  調整用ネジは、開口部の開口面積を可変するために大きさの異なる大小様々なダクト孔（排圧ポート）が設けられ、それらを交換する事によりダクト孔（排圧ポート）の開閉手段とする。それにより音響的な特性を可変可能とする。【００２９】  本発明を７図に基づき実施例を説明する。【００３０】  ７図に示すグラフは調整用パイプと調整用ネジを交換して再生されたそれぞれの周波数である。グラフ２０１は銅の調整用パイプとダクト孔口径・大の組み合わせで再生された周波数特性であり、２０１ａはその組み合わせ例である。グラフ２０２はアルミニウムの調整用パイプとダクト孔口径・大の組み合わせから再生された周波数特性であり、２０２ａはその組み合わせ例である。グラフ２０３はステンレスの調整用パイプとダクト孔口径・大の組み合わせから再生された周波数特性であり、２０３ａはその組み合わせ例である。【００３１】  これらは同じ電気音響変換器（スピーカーユニット）を使用したにも関わらず、条件の異なる調整用パイプと調整用ネジを交換した事で音質の可変が見てとれる。またデータ表やグラフ表による目に見える周波数特性の可変だけでなく音質のぬくもり／堅さや柔らかさ／奥行きや厚み／臨場感／広がり感など、条件を変えて作った調整用パイプそれぞれが持ったクセや特徴の差を音質の変化として聞いてとれる。またダクト孔の口径が異なる調整用ネジの選択によって、調整用パイプを交換した際の音質の可変がさらに如実になる。
【図面の簡単な説明】
【００３２】
【図１】  本発明の実施形態を示すインナーイヤホンの断面図
【図２】  同耳栓式イヤホンの断面図
【図３】  同その他の据え置き型スピーカーの断面図
【図４】  同その他の据え置き型スピーカーの断面図
【図５】  調整用パイプ例
【図６】  調整用ネジ例
【図７】  調整用パイプ及び調整用ネジの交換によって可変する周波数特性例
【図８】  選択図
【符号の説明】
【００３３】以下図１〜図４及び図８の符号の説明
１  電気音響変換器（スピーカーユニット）
１ａ  振動板
２  ハウジングケース
２ａ  空気室
３  音道パイプ
３ａ  ２ハウジングケースと３音道パイプの結合部
３ｂ  ３音道パイプ内周壁面にタップネジが切り込まれている開口部（他端）
４  調整用パイプ（銅・ステンレス・アルミニウム・真鍮・テフロン・カーボン・木類・紙類・プラスチック類・布類・スポンジ類・ガラス類・陶器などパイプ状に成型が可能な地球上に存在しうる様々な材質）
５  調整用ネジ
６  ５調整用ネジ、取り付け／取り外し用レンチ
７  入力配線コード出口専用穴
８  コードブッシュ
９  入力配線コード
１０  コード留め
１０１  スピーカーの全体
以下図５の符号の説明
４ａ  調整用パイプ素材例１  ：銅
４ｂ  調整用パイプ素材例２  ：アルミニウム
４ｃ  調整用パイプ素材例３  ：ステンレス
４ｄ  調整用パイプ素材例４  ：真鍮
４ｅ  調整用パイプ素材例５  ：テフロン
４ｆ  調整用パイプ素材例６  ：カーボン
４ｇ  調整用パイプ素材例７  ：全長が長い
４ｈ  調整用パイプ素材例８  ：全長が短い
４ｉ  調整用パイプ素材例９  ：内径が太い
４ｊ  調整用パイプ素材例１０：内径が細い
４ｋ  調整用パイプ素材例１１：肉厚が厚い
４ｌ  調整用パイプ素材例１２：肉厚が薄い
以下図６の符号の説明
５ａ  調整用ネジダクト孔口径例１：ダクト孔口径・大
５ｂ  調整用ネジダクト孔口径例２：ダクト孔口径・中
５ｃ  調整用ネジダクト孔口径例３：ダクト孔口径・小
以下図７の符号の説明
２０１  銅の調整用パイプとダクト孔口径・大の調整用ネジの組み合わせで再生された周波数特性グラフ表例
２０２  アルミニウムの調整用パイプとダクト孔口径・大の調整用ネジの組み合わせで再生された周波数特性グラフ表例
２０３  ステンレスの調整用パイプとダクト孔口径・大の調整用ネジの組み合わせで再生された周波数特性グラフ表例
２０１ａ  銅の調整用パイプとダクト孔口径・大の調整用ネジの組み合わせ例
２０２ａ  アルミニウムの調整用パイプとダクト孔口径・大の調整用ネジの組み合わせ例
２０３ａ  ステンレスの調整用パイプとダクト孔口径・大の調整用ネジの組み合わせ例
【図１】
2007318702.tif 000003
【図２】
2007318702.tif 000004
【図３】
2007318702.tif 000005
【図４】
2007318702.tif 000006
【図５】
2007318702.tif 000007
【図６】
2007318702.tif 000008
【図７】
2007318702.tif 000009
【図８】
2007318702.tif 000010